(57)【要約】【課題】クリップの脱落防止を図ったドアウエザーストリップの構造を提供する。【解決手段】ドアウエザーストリップ４における幅広のひれ部６に、このひれ部６と相似形をなすクリップ７を重合配置する。ひれ部６にクリップ７のベース部９の下縁部に近接して肉盛りビード部２２を形成するとともに、ひれ部６と肉盛りビード部２２との間に当該肉盛りビード部２２を潜り抜ける貫通穴４２を形成する。ベース部９のうち貫通穴４２に相当する位置に、当該貫通穴４２を挿通した上で肉盛りビード部２２のビード下辺部２２Ａに抜け止め係止される係止突起部１１を形成する。【選択図】図３
2014227053.tif 000002
【特許請求の範囲】
【請求項１】
自動車用ドアの周囲に装着されるドアウエザーストリップにして、その上部コーナー部のシールリップに付帯する幅広のひれ部を当該ひれ部に重合配置されるプレート状のクリップを用いてドアパネルに固定するようにしたドアウエザーストリップの構造であって、
上記ひれ部にはその板厚方向に貫通するクリップ挿通穴を形成するとともに、
上記クリップのベース部の裏面には上記クリップ挿通穴に挿通された上でドアパネル側のクリップ取付穴に嵌合保持されるアンカー部を突出形成し、
上記ひれ部には上記ベース部の下縁部の少なくとも一部に近接して肉盛りビード部を形成するとともに、上記ひれ部と肉盛りビード部との間に当該肉盛りビード部を潜り抜ける貫通穴を形成し、
上記クリップのベース部のうち上記貫通穴に相当する位置には、当該貫通穴を挿通した上で上記肉盛りビード部に抜け止め係止される係止突起部を形成してあることを特徴とするドアウエザーストリップ。
【請求項２】
上記ひれ部からその下方にシールリップから独立したフラットなベルト状部が延長形成されていて、
上記ベルト状部の始端部に相当する位置に上記肉盛りビード部を形成してあることを特徴とする請求項１に記載のドアウエザーストリップ。
【請求項３】
上記クリップのベース部は変形矩形状のものであって、このベース部のうちシールリップに近接する一辺部は当該シールリップとひれ部との間に挟み込んであることを特徴とする請求項１又は２に記載のドアウエザーストリップ。
【請求項４】
上記肉盛りビード部と重合しているひれ部に形成した逃がし穴をもって貫通穴としてあるとともに、上記係止突起部を反肉盛りビード部側にオフセットさせ、上記係止突起部には肉盛りビード部に引っ掛かる段状部を形成してあることを特徴とする請求項３に記載のドアウエザーストリップ。
【請求項５】
上記係止突起部は、上記貫通穴を潜る首部と当該首部よりも断面積の大きな頭部とから形成されていることを特徴とする請求項４に記載のドアウエザーストリップ。
【請求項６】
上記ウエザーストリップのうち、上記ひれ部を含む上記シールリップの屈曲部と、上記ベルト状部の始端部とは、型成形によって形成してあることを特徴とする請求項２〜５のいずれか一つに記載のドアウエザーストリップ。
【発明の詳細な説明】
【技術分野】
【０００１】
本発明は、自動車のドアウエザーストリップに関し、特にその上部コーナー部のシールリップに付帯する幅広のひれ部を当該ひれ部に重合配置されるプレート状のクリップを用いてドアパネルに固定するようにしたドアウエザーストリップの構造に関する。
【背景技術】
【０００２】
従来、この種のドアウエザーストリップの構造として特許文献１，２に記載されているものがある。これらの従来の技術では、ひれ部の上から重合配置されるフラットなクリップ本体の裏面にアンカー部を突出形成しておき、このアンカー部をひれ部の挿通穴に挿通させた上でドアパネル側の取付穴に嵌合保持させるようになっている。そして、上記アンカー部とは別に、クリップとひれ部との相対位置決め、またはひれ部からの脱落防止のために、クリップ本体に複数の爪部または鉤部を形成しておき、これらの爪部または鉤部をひれ部の一部に係止させるようになっている。
【先行技術文献】
【特許文献】
【０００３】
【特許文献１】特開２００４−２７６７０４号公報
【特許文献２】特開２０１１−５１４０４号公報
【発明の概要】
【発明が解決しようとする課題】
【０００４】
クリップにおけるクリップ本体にアンカー部とは別に複数の爪部を形成した特許文献１に記載の技術では、例えばドアウエザーストリップの生産工場からカーメーカーの車両組立ラインに向けてクリップ付きのドアウエザーストリップを出荷することを想定した場合、ドアウエザーストリップからのクリップの脱落防止効果が不十分で、輸送中あるいは車両組立ラインのラインサイドのハンガーに吊り下げ支持させる際にクリップが脱落してしまうおそれがある。
【０００５】
他方、クリップにおけるクリップ本体にアンカー部とは別に複数の鉤部を形成した特許文献２に記載の技術では、ウエザーストリップからのクリップの脱落防止効果はある程度期待できるものの、ひれ部の裏側に複数の鉤部が突出することになるため、ドアパネルと鉤部との干渉を回避するためにはドアパネルとひれ部との間に空間を確保する必要があり、ひれ部の見かけ上の厚肉化が余儀なくされることとなって好ましくない。
【０００６】
また、本発明の具体例として後述するように、ひれ部から下方にフラットなベルト状部が延長形成されることがあり、このようなベルト状部が付帯するクリップ付きのドアウエザーストリップを先に述べたような車両組立ラインのラインサイドのハンガーに吊り下げ支持させると、ベルト状部の自重による垂れ下がりのためにクリップの外れ方向の力が加わり、クリップがドアウエザーストリップから脱落してしまうことがあり、なおも改善の余地を残している。
【０００７】
本発明はこのような課題に着目してなされたものであり、ドアウエザーストリップに対するクリップの保持性を高めて、クリップの脱落防止を図ったドアウエザーストリップの構造を提供するものである。
【課題を解決するための手段】
【０００８】
本発明は、自動車用ドアの周囲に装着されるドアウエザーストリップにして、その上部コーナー部のシールリップに付帯する幅広のひれ部を当該ひれ部に重合配置されるプレート状のクリップを用いてドアパネルに固定するようにしたドアウエザーストリップの構造を前提としている。その上で、上記ひれ部にはその板厚方向に貫通するクリップ挿通穴を形成するとともに、上記クリップのベース部の裏面には上記クリップ挿通穴に挿通された上でドアパネル側のクリップ取付穴に嵌合保持されるアンカー部を突出形成してある。さらに、上記ひれ部には上記ベース部の下縁部の少なくとも一部に近接して肉盛りビード部を形成するとともに、上記ひれ部と肉盛りビード部との間に当該肉盛りビード部を潜り抜ける貫通穴を形成し、上記クリップのベース部のうち上記貫通穴に相当する位置には、当該貫通穴を挿通した上で上記肉盛りビード部に抜け止め係止される係止突起部を形成してある。
【０００９】
この場合において、請求項２に記載のように、上記ひれ部からその下方にシールリップから独立したフラットなベルト状部が延長形成されている場合には、上記ベルト状部の始端部に相当する位置に上記肉盛りビード部を形成してあるものとする。
【００１０】
また、クリップの保持性を一段と向上させる上では、請求項３に記載のように、上記クリップのベース部は変形矩形状のものであって、このベース部のうちシールリップに近接する一辺部は当該シールリップとひれ部との間に挟み込んであることが望ましい。
【００１１】
さらに望ましくは、請求項４に記載のように、上記肉盛りビード部と重合しているひれ部に形成した逃がし穴をもって貫通穴としてあるとともに、上記係止突起部を反肉盛りビード部側にオフセットさせ、上記係止突起部には肉盛りビード部に引っ掛かる段状部を形成してあるものとする。
【００１２】
同様に、請求項５に記載のように、上記係止突起部は、上記貫通穴を潜る首部と当該首部よりも断面積の大きな頭部とから形成されているものとする。
【００１３】
また、請求項６に記載のように、上記ウエザーストリップのうち、上記ひれ部を含む上記シールリップの屈曲部と、上記ベルト状部の始端部とは、型成形によって形成してあるものとする。
【発明の効果】
【００１４】
請求項１に記載の発明によれば、クリップにおけるベース部の下縁部に形成された係止突起部の上にこれを横切るように肉盛りビード部が延在していることになるので、クリップの保持性が向上し、クリップの脱落を防止できる。また、係止突起部がビード部に抜け止め係止された状態を目視確認することができるので、ひれ部に対するクリップの組み付け状態が安定化する。
【００１５】
請求項２に記載の発明によれば、ひれ部から下方にフラットなベルト状部が延長形成されている場合に、このようなベルト状部が付帯するクリップ付きのドアウエザーストリップを仮に車両組立ラインのラインサイドのハンガーに吊り下げ支持させたとしても、クリップがドアウエザーストリップから脱落してしまうことがない。
【００１６】
請求項３に記載の発明によれば、ひれ部に対するクリップの位置決め保持性が向上し、クリップの脱落防止効果が一段と向上する。
【００１７】
請求項４に記載の発明によれば、上記肉盛りビード部と重合しているひれ部に形成した逃がし穴をもって貫通穴としてあるため、肉盛りビード部の肉厚を大きく確保することができ、さらに係止突起部側の段状部が肉盛りビード部に引っ掛かることになるため、クリップの保持性がさらに向上し、クリップの脱落防止効果が顕著となる。
【００１８】
請求項５に記載の発明によれば、係止突起部の頭部による抜け止め効果が期待できるため、クリップの保持性がさらに向上し、クリップの脱落防止効果が一段と顕著となる。
【図面の簡単な説明】
【００１９】
【図１】自動車のリアドアの正面図である。
【図２】図１のＱ部を裏側（室内側）からみた拡大図である。
【図３】図２のクリップを取り外した状態を示す図である。
【図４】図２のＡ−Ａ線に沿った断面拡大図である。
【図５】本発明の第２実施形態を示す図であって、第１実施形態の図４に相当する図である。
【図６】図５のクリップ単独の正面図である。
【図７】本発明の第３実施形態を示す図であって、第１実施形態の図４に相当する図である。
【図８】図７のクリップ単独の正面図である。
【図９】本発明の第４実施形態を示す図であって、第１実施形態の図２に相当する図である。
【図１０】図９のＢ−Ｂ線に沿った断面拡大図である。
【発明を実施するための形態】
【００２０】
図１〜４は本発明に係るウエザーストリップの具体的な第１の実施の形態を示す図であり、図１は自動車のリアドアの正面図を示し、図２は図１のＱ部を裏側（室内側）から見た図を示している。また、図３は図２のクリップを取り外した状態を示し、図４は図２におけるＡ−Ａ線に沿う拡大断面図をそれぞれ示している。
【００２１】
図１に示す自動車のリアドア１は、アーチ状のドアサッシュ２をドア本体３の上端に設けてなるいわゆるサッシュドアであって、その裏面外周にはドアウェザーストリップ４が装着されている（図２参照）。このドアウエザーストリップ４は、周知のように一連の円環状のものとして形成されるが、図中のＱ部に示すドアサッシュ２コーナー部では、図２，３に示すように、図示外の車体パネル開口部と弾接して実質的にシール機能を発揮する後述のシール本体５（特許請求の範囲の記載におけるシールリップに相当する。）のほかに、このシール本体５と一体に形成された同じく後述のひれ部６を有している。そして、このひれ部６に重合配置される別体のクリップ７によりドアサッシュ２のドアパネル８（図４参照）に取り付けられるようになっている。なお、ドアウエザーストリップ４は、周知のように、均一断面形状に押出成形される長尺な押出成形部４Ａと、ドアサッシュ２コーナー部（Ｑ部）に応じて屈曲した型成形部４Ｂと、によって構成されているが、本明細書においては、特に説明がない限り型成形部４Ｂを指すものとする。
【００２２】
クリップ７は、例えば硬質の合成樹脂材料や金属材料等によって全体としてプレート状に形成され、図３，４に示すように、所定の厚みを有する変形矩形状のベース部９と、このベース部９の裏面（室外側の面）から突出形成されたアンカー部１０と、ベース部９の下端から突出形成され、後述の貫通穴２３を挿通した上で後述の肉盛りビード部２２に抜け止め係止される係止突起部１１と、から構成されている。
【００２３】
ベース部９のうちシール本体５に近接する一側辺部９Ａは、シール本体５の屈曲部に合致するように形成され、シール本体５とひれ部６の接続端部間に形成される溝部１２に差し込み保持されるようになっている。
【００２４】
アンカー部１０は、角筒状を呈し、その先端部外面に鉤状をなす一対のストッパ１３が形成されていて、ドアウエザーストリップ４をリアドア１に装着する際には、後述のクリップ挿通穴１４を挿通した上でドアパネル８のクリップ取付穴１５に係止することで、ドアウエザーストリップ４がリアドア１に固定されることとなる。一方、上記ドアウエザーストリップ４のドアパネル８への取付前、すなわち輸送中あるいは車両組立ラインにおいては、後述のクリップ挿通穴１４のみを挿通した状態となって、当該クリップ挿通穴１４に嵌合保持されることとなる。
【００２５】
係止突起部１１は、上記クリップ７のドアウエザーストリップ４への取付状態において後述の貫通穴２３に相当する位置に、後述のビード下辺部２２Ａの反対側にオフセットするかたちで設けられ、ベース部９やひれ部６よりも薄肉で幅狭に形成された板状の首部１６と、この首部１６の下端に形成され、当該首部１６よりも厚肉かつ幅広に形成された半月状の頭部１７と、によって構成されている。
【００２６】
首部１６は、上記室外側へのオフセット構造により、その上端側がベース部９の下端部と重合するかたちで構成され、その下端側がベース部９の下辺縁部９Ｃと頭部１７の基端部との間に、室外側へと窪んで後述のビード下辺部２２Ａと係合する凹状の段状部１８を構成している。この際、上記首部１６のオフセット構造に基づき、当該段状部１８をより深く構成することが可能となっている。
【００２７】
頭部１７は、基端側となる上端側が上記ベース部９の下辺縁部９Ｃと平行な平坦状に、先端側となる下端側が円弧状に形成されてなり、上記平坦状の上端面とベース部９の下辺縁部９Ｃとの間に矩形溝状の上記段状部１８を構成し、ビード下辺部２２Ａを保持するようになっている。また、頭部１７の上端部が首部１６よりも幅広に形成されることによって、当該頭部１７とベース部９の下辺縁部９Ｃとの間には、幅方向に窪む一対の係合凹部２５が構成され、この係合凹部２５との係合もって上記ビード下辺部２２Ａの係合をより強固なものとすることが可能となっている。
【００２８】
ドアウエザーストリップ４は、公知のＥＰＤＭに代表されるようなゴム材料、または、ＴＰＯに代表されるような合成樹脂材料によって軟質に形成され、図示外の車体パネルと弾接して実質的にシール機能を発揮する中空状のシール本体５のほか、このシール本体５に一体に形成され、クリップ７の着座面となるひれ部６と、このひれ部６の下方に延長形成され、幅広なサッシュリア縦辺部２Ａ（図１参照）を室内側から隠蔽するフラットなベルト状部１９と、を有している。また、かかるひれ部６とベルト状部１９には、反シール本体５側に、ドアパネル８と弾接する舌片状のパネルシールリップ２７が連続して設けられている。
【００２９】
シール本体５は、室内側に向けて膨出した中空シールリップ２０と複数の小片リップ２１とから構成され、その長手方向ほぼ中間部が図示外の車体パネルに沿うように屈曲形成されている。
【００３０】
ひれ部６は、ベース部９とほぼ相似形をなす板状に構成され、シール本体５よりも幅広で薄肉に形成されるとともに、そのほぼ中央位置に、アンカー部１０が挿通するクリップ挿通穴１４が貫通形成されている。さらに、このひれ部６には、クリップ７の他側辺縁部９Ｂと下辺縁部９Ｃを囲うようにして、Ｌ字状の肉盛りビード部２２が形成されている。
【００３１】
また、上記肉盛りビード部２２のビード下辺部２２Ａと重合する、ひれ部６におけるベルト状部１９の始端部に相当する位置には、上記係止突起部１１の当該ビード下辺部２２Ａの潜り抜けに供する貫通穴２３が、ひれ部６とベルト状部１９に跨って形成されている。なお、クリップ７の装着時には、当該貫通穴２３が、上記ベース部９と重合する首部１６との干渉を回避する逃がし穴としても機能することとなる。換言すれば、ひれ部６のうちビード下辺部２２Ａと重合する部位に形成された逃がし穴をもって貫通穴２３としている。
【００３２】
ビード下辺部２２Ａは、上記貫通穴２３との重合関係により、その重合範囲については当該貫通穴２３に対して架橋するかたちで設けられる。かかる構成から、クリップ７の装着時には、特に図４に示すように、首部１６を幅方向に横切るように延在することによって、段状部１８に係合することとなる。
【００３３】
ベルト状部１９は、シール本体５から独立したかたちで構成され、型成形部４Ｂと押出成形部４Ａが結合した状態、すなわちドアウエストライン３Ａ（図１参照）まで延設されたもので、特に図４に示すように、ひれ部６よりも若干薄肉に形成され、その室内側の面がひれ部６の室内側の面に対し首部１６の肉厚相当分だけ低くなるように構成されている。これにより、ビード下辺部２２Ａに対して係止突起部１１を容易に潜らせることが可能となっている。なお、ベルト状部１９にはクリップ孔２５が穿設されており、このクリップ孔２５に挿通するベルトクリップ２６を介して、当該ベルト状部１９がドアパネル８に連結されることとなる。
【００３４】
以上のように構成されたドアウエザーストリップ４は、クリップ７が予め装着された状態で部品工場から車両組立工場へと輸送され、当該車両組立工場のラインサイドでは、図示外のハンガーに吊り下げたかたちで供給されることとなる。そのため、ドアウエザーストリップ４のうち薄肉のひれ部６及びベルト状部１９には、揺れや自重による弾性変形が生じやすく、当該ドアウエザーストリップにつき単にクリップのアンカー部と爪部または鉤部を差し込んだだけの従来技術では、上記輸送中あるいは車両組立ラインサイドにおいて、クリップがドアウエザーストリップから脱落してしまう虞がある。
【００３５】
しかしながら、本発明に係るドアウエザーストリップ４では、クリップ７に係止突起部１１が設けられ、この係止突起部１１の首部１６上を横切るようにビード下辺部２２Ａが延在していることで、このビード下辺部２２Ａの緊縛力をもってクリップ７の抜け方向の移動が規制されるため、ドアウエザーストリップ４においてクリップ７を強固に保持させることができる。
【００３６】
したがって、本発明に係るドアウエザーストリップ４によれば、ドアウエザーストリップ４に対するクリップ７の保持性を高めて、クリップ７の脱落防止を図ることができる。
【００３７】
また、ビード下辺部２２Ａを潜り抜けるように貫通穴２３を形成したことによって、この貫通穴２３を挿通する係止突起部１７がひれ部６の裏側へと突出することもないため、従来技術のように、ドアパネルと鉤部の干渉を回避するためにドアパネルとひれ部の間に空間を確保する必要もなく、ひれ部６の見かけ上の厚肉化を伴うこともない。
【００３８】
しかも、係止突起部１１が貫通穴２３を挿通することで、係止突起部１１がビード下辺部２２Ａに係止した状態を目視確認できるため、クリップ７の組付作業中における当該係止突起部１１の止め忘れが未然に防止される結果、ドアウエザーストリップ４に対するクリップ７の保持状態がより良好なものとなる。
【００３９】
また、貫通穴２３は、ベルト状部１９の始端部に形成されていることから、上記係止突起部１１に対するビード下辺部２２Ａの係止構造に基づいて、上記ベルト状部１９の弾性変形がひれ部６へと波及する不都合、すなわち当該ひれ部６のクリップ７に対する剥離方向の変形も規制されることになるため、かかる観点からも、ドアウエザーストリップ４におけるクリップ７の保持性の向上が図れ、上記ベルト状部１９の弾性変形に基づくクリップ７の脱落をより効果的に防止することができる。
【００４０】
さらに、ベース部９のうちシール本体５に近接する一側辺部９Ａについても、溝部１２内に差し込み保持されるようになっていることから、クリップ７は、アンカー部１０のクリップ挿通穴１４における嵌合保持と、係止突起部１１のビード下辺部２２Ａによる緊縛保持と、当該一側辺部９Ａの溝部１２への嵌挿保持と、の３つの保持作用に基づいてドアウエザーストリップ４に保持されることとなる。この結果、ドアウエザーストリップ４におけるクリップ７の保持状態をより一段と良好なものとすることができる。
【００４１】
また、係止突起部１１は、貫通穴２３を潜る首部１６と当該首部１６よりも断面積の大きな頭部１７とによって構成されているため、例えば上記係合凹部２４など幅広の頭部１７による抜け止め効果が期待できる。
【００４２】
さらに、ビード下辺部２２Ａと重合しているひれ部６に形成した逃がし穴をもって貫通穴２３としてあるため、貫通穴２３に臨むビード下辺部２２Ａの厚みをより大きく確保することができ、この厚み分だけさらに深くビード下辺部２２Ａを段状部１８に係合させることが可能となる。これにより、クリップ７の保持性がさらに向上し、クリップ７の脱落防止効果がより顕著となる。
【００４３】
図５，６は、本発明の第２実施形態を示し、上記第１実施形態を基本構成として係止突起部３１のみを変更したものである。よって、以下では第１実施形態と異なる部分についてのみ説明し、図３，４と共通する部分にはそれぞれ同一符号を付すことで、詳細な説明は省略する。
【００４４】
この第２実施形態では、係止突起部３１の頭部３２を、上記第１実施形態に係る頭部１７と比較して上下方向に短く（面積を小さく）、段状部１８の上下方向長さと同等程度にするとともに、全体として矩形状に形成したものである。
【００４５】
したがって、この第２実施形態によれば、上記第１実施形態のものと同様の効果が得られるのは勿論のこと、頭部３２が第１実施形態のものと比べて上下方向に短縮されていることから、クリップ７のドアウエザーストリップ４への装着時に頭部３２が目立たなくなり、外観品質の向上を図ることができる。
【００４６】
図７，８は、本発明の第３実施形態を示し、上記第１実施形態を基本構成として係止突起部４１と貫通穴４２のみを変更したものである。よって、以下では第１実施形態と異なる部分についてのみ説明し、図３，４と共通する部分にはそれぞれ同一符号を付すことで、詳細な説明は省略する。
【００４７】
この第３実施形態では、係止突起部４１の首部４３をベース部９の下辺縁部９Ｃに直接的に設けることで、クリップ７の裏面がフラットになるように形成されている。一方で、ひれ部６やベルト状部１９に及ぶことなくビード下辺部２２Ａそのものに形成した縦穴をもって、貫通穴４２としている。また、頭部４４上端の幅方向寸法についても、首部４３と同じに設定され、上記第１実施形態における係合凹部２４を廃したものとなっている。
【００４８】
したがって、この第３実施形態によれば、上記第１実施形態のものと同様の効果が得られるのは勿論のこと、貫通穴４２をひれ部６やベルト状部１９に及ぶことなく、ビード下辺部２２Ａそのものに形成することで、型成形部４Ｂの金型構造を単純化でき、コスト低減が図れる。また、第１実施形態の係止凹部２４を廃止することにより、係止突起部１１の頭部４４を貫通穴４２へとよりスムーズに挿通することが可能となって、クリップ７の組付作業性の向上も図れることとなる。
【００４９】
図９，１０は、本発明の第４実施形態を示し、上記第１実施形態からベルト状部１９を削除してなるもので、かかる構成によっても、上記第１実施形態と同様の作用効果が奏せられる。
【００５０】
なお、上述したように、本発明の技術的課題であるクリップ７の脱落は上記ベルト状部１９を有することで誘発される可能性が高いものの、クリップ７の被着体たるドアウエザーストリップ４が弾性を有している以上、本実施形態のようにベルト状部１９を有しない構成であっても、上記クリップ７の脱落を生ずる虞があり、上述したビード下辺部２２Ａによるクリップ７の移動規制等に基づいて上記第１実施形態と同様の作用効果を奏し得る。
【００５１】
以上、本発明は、前記各実施形態に限定されるものではなく、本発明の趣旨を逸脱しない範囲で自由な構成変更が可能である。
【００５２】
特に、前記各実施形態では、本発明をリアドアのコーナー部におけるドアウエザーストリップに適用したものを例に説明したが、これに限定されず、フロントドアのコーナー部におけるドアウエザーストリップにも適用できる。
【００５３】
また、前記各実施形態では、ビード下辺部２２Ａをベース部９の下縁部全体に近接形成したものを例に説明したが、これに限定されず、当該ビード下辺部２２Ａについては、ベース部９の下縁部の少なくとも一部、すなわちベース部９の下縁部の貫通穴２３が形成される範囲にのみ近接形成されていればよい。
【符号の説明】
【００５４】
１…リアドア（自動車用ドア）
４…ドアウエザーストリップ
４Ｂ…型成形部
５…シール本体（シールリップ）
６…ひれ部
７…クリップ
８…ドアパネル
９…ベース部
９Ａ…一側辺部（一辺部）
１０…アンカー部
１１…係止突起部
１４…クリップ挿通穴
１５…クリップ取付穴
１６…首部
１７…頭部
１８…段状部
１９…ベルト状部
２２…肉盛りビード部
２３…貫通穴
３１…係止突起部
３２…頭部
４１…係止突起部
４２…貫通穴
４３…首部
４４…頭部
４５…段状部
【図１】
2014227053.tif 000003
【図２】
2014227053.tif 000004
【図３】
2014227053.tif 000005
【図４】
2014227053.tif 000006
【図５】
2014227053.tif 000007
【図６】
2014227053.tif 000008
【図７】
2014227053.tif 000009
【図８】
2014227053.tif 000010
【図９】
2014227053.tif 000011
【図１０】
2014227053.tif 000012